(57)【要約】【課題】  商品をそのまま包んだりするだけで緩衝効果があり、粘着テープを用いないでも簡単に留めることができ、資源の無駄使いや環境保護を促進し、自然環境にやさしい緩衝材を提供する。【解決手段】  並行な複数の折り部により繰り返し折り返され、連続した凹凸形状が形成された緩衝用部材と、シート状基材とが重ね合わされ、所定部分で接着された情報表示機能付き緩衝材であって、前記シート状基材の幅寸法が、前記緩衝用部材の折り部の折り方向における幅寸法よりも両幅側において広く設けられ、前記シート状基材に前記緩衝用部材が重ね合わされていない部分を有する。【選択図】        図2
2008100759.tif 000002
【特許請求の範囲】
【請求項１】
並行な複数の折り部により繰り返し折り返され、連続した凹凸形状が形成された緩衝用部材と、シート状基材とが重ね合わされ、所定部分で接着された情報表示機能付き緩衝材であって、
前記シート状基材の幅寸法が、前記緩衝用部材の折り部の折り方向における幅寸法よりも両幅側において広く設けられ、前記シート状基材に前記緩衝用部材が重ね合わされていない部分を有することを特徴とする緩衝材。
【請求項２】
前記緩衝用部材に形成された連続した凹凸形状が、シート状の基材が規則的に折り曲げられ、更に前記凸部の頂点を中心とした近傍に平面部が形状されていることを特徴とする請求項１記載の緩衝材。
【請求項３】
前記シート状基材と前記緩衝用部材とが、天然パルプを原料とする紙、又は、自然環境内で分解性を有する合成樹脂フィルムであることを特徴とする請求項１または請求項２に記載の緩衝材。
【発明の詳細な説明】
【技術分野】
【０００１】
本発明は、商品を宅配便などで輸送や配送する際に、それらの配送品である商品を落としたり、ぶつけたりなどした場合でも商品が破損されるのを防止するための緩衝材であって、特に、球状や円筒状の物品を包み込んだ際に、粘着テープを用いないでも留めることができる緩衝材に関する。
【背景技術】
【０００２】
従来、通信販売会社では、宅配便を利用して大量の商品を注文者である顧客まで届けている。
これらの商品を宅配便で配送する際に必要な物として、商品、段ボール箱や封筒、納品明細書や払込票、配送伝票などがある。
例えば、配送する商品が、家具のようなサイズの大きな商品である場合には、段ボール箱や封筒に入らないこともあるが、商品が化粧品、文房具などの小物類の場合には、段ボールや封筒にそれらの商品を入れて配送させるなどしている。
【０００３】
そして、通信販売会社では、商品を宅配便で配送する際に、顧客から注文があった商品について納品明細書を見ながら配送品を確認して、それらの商品を段ボールに入れた後に、段ボール箱の封緘を行い、配送伝票を段ボール箱の所定位置に貼り込んで発送手続きを行なうといった処理を行っている。
【０００４】
また、多くの場合に、商品のサイズと段ボール箱のサイズとが同じではないために、段ボールの内部に隙間が生じることになり、その状態で配送処理が行われると、宅配便での輸送中に段ボール箱の中で商品が踊ってしまい、最悪の場合には、顧客に届けられた商品が破損してしまっていることも考えられる。
したがって、このように商品が破損するのを防止するために、段ボール箱に入れた商品と段ボール箱の壁との間に詰め物を入れたり、緩衝材と呼ばれる資材を隙間に入れるなどして商品が不必要に動かないようにしている。
これらの緩衝材については、既に種々の構造の緩衝材が公知となっている。（例えば、特許文献１〜５、参照）
【０００５】
【特許文献１】特開平６−１７１６７１号公報
【特許文献２】特開平７−２０６０４７号公報
【特許文献３】特開平８−１４３０６５号公報
【特許文献４】特開２００２−２５５１５７号公報
【特許文献５】特開２００５−７５３８０号公報
【０００６】
しかしながら、これらの緩衝材は、商品が届けられた後において不要物となり、ほとんどが廃棄されることになる。
このために緩衝材として従来頻繁に使用されている、所謂「エアキャップ」などの合成樹脂を原料とする緩衝材については、もともと高価であるのにもかかわらず、商品が届いてしまえば不要物として捨ててしまうために、経済的にも無駄であるだけでなく、資源の無駄使いや、環境保全などの問題があるなどから使用しにくい状況にあるという問題がある。
また、従来の緩衝材は、段ボール箱や封筒の中に入れる作業が必要であることから、商品と緩衝材とを入れる手間がかかり、商品の配送用意をする際に手間や時間がかかり面倒でもあるという問題がある。
【０００７】
また、従来、球状や円筒状の物品を包み込んで包装する場合には、包装紙で包装した後にその所定部分を、粘着テープを用いて留めるなどしていた。
しかしながら、粘着テープを用いることは配送された後に包装紙を廃棄する際に、粘着テープを付けた状態のままで廃棄してしまう場合が多く、環境保全や資源の無駄使いなどの問題やコストもかかるという問題もある。
また、包装紙と粘着テープが単一素材でないために、リサイクルで回収する際にこれらを分別する手間が係るなどの問題がある。
【発明の開示】
【発明が解決しようとする課題】
【０００８】
そこで、本発明は、商品をそのまま包んだりするだけで緩衝効果があり、粘着テープを用いないでも簡単に留めることができ、資源の無駄使いや環境保護を促進し、自然環境にやさしい緩衝材を提供する。
【課題を解決するための手段】
【０００９】
上記の課題を達成するために、本発明の緩衝材は、並行な複数の折り部により繰り返し折り返され、連続した凹凸形状が形成された緩衝用部材と、シート状基材とが重ね合わされ、所定部分で接着された情報表示機能付き緩衝材であって、前記シート状基材の幅寸法が、前記緩衝用部材の折り部の折り方向における幅寸法よりも両幅側において広く設けられ、前記シート状基材に前記緩衝用部材が重ね合わされていない部分を有することを特徴とする。
【００１０】
また、本発明の緩衝材は、前記緩衝用部材に形成された連続した凹凸形状が、シート状の基材が規則的に折り曲げられ、更に前記凸部の頂点を中心とした近傍に平面部が形状されていることを特徴とする。
【００１１】
更に、本発明の緩衝材は、前記シート状基材と前記緩衝用部材とが、天然パルプを原料とする紙、又は、自然環境内で分解性を有する合成樹脂フィルムであることを特徴とする。
【発明の効果】
【００１２】
本発明の緩衝材は、シート状基材の幅寸法が、前記緩衝用部材の折り部の折り方向における幅寸法よりも両幅側において広く設けられ、シート状基材に緩衝用部材が重ね合わされていない部分を有しているので、商品を中に入れて緩衝材で丸め込ませた状態にした後に、緩衝用部材が重ね合わされていないシート状基材の両端側の所定部分を、キャンディ包装のように簡単にひねり回して包み留めることができるので、粘着テープを用いる必要がないので、資源の無駄使いや環境保護を促進し、自然環境にやさしいという効果がある。
【００１３】
また、本発明の緩衝材は、緩衝用部材に形成された連続した凹凸形状が、シート状の基材が規則的に折り曲げられ、断面が複数の台形の連続的な折り返し形状であるので、台形の上面側でシート状基材にしっかりと接着させることができるという効果がある。
【００１４】
更に、本発明の緩衝材は、シート状基材と緩衝用部材とが、天然パルプを原料とする紙、又は、自然環境内で分解性を有する合成樹脂フィルムであるので、自然環境に害を与えることを防止することができるという効果がある。
【発明を実施するための最良の形態】
【００１５】
以下、本発明の実施形態に係る緩衝材について、図面に基づいて詳細に説明する。
図１は、本発明の実施形態に係る緩衝材の斜視図、図２は、図１のＡ−Ａ線断面図、図３は、本発明の実施形態に係る緩衝材の側面図、図４は、本発明の実施形態に係る緩衝材を構成する緩衝用部材及びシート状基材を示す図、図５は、本発明の実施形態に係る緩衝材の使用方法を示す図である。
【００１６】
本発明の実施形態に係る緩衝材１は、図１乃至図３に示すように、並行な複数の折り部により繰り返し折り返され、連続した凹凸形状が形成された緩衝用部材２と、シート状基材３とが重ね合わされ、シート状基材３の裏面側と緩衝用部材２の凹凸形状の凸部上面側とで接着された構成を有している。
また、シート状基材３の表面には、緩衝材１を使用して物品の配送を行う者が、所望の文字、画像などを自由に表示する情報表示部４を有している。
【００１７】
この情報表示部４に表示される情報としては、例えば、緩衝材１で包んで配送する配送品の宛先情報である住所及び氏名や、配送品の受取人への伝達情報、発送者側の企業名や商品名、広告などの情報などがある。
シート状基材３の表面に絵柄や画像を印刷などで表示させておくことで、包装紙で包んだのと同様の意匠的な効果が期待でき、緩衝材１を使用する企業などが自由に様々な表示させればよく、例えば、企業の販売商品やサービスなどの広告情報などを表示させておくことで宣伝効果をもたらすようにしてもよい。
【００１８】
緩衝用部材２は、図２に示すように、シート状の基材が規則的に折り曲げられ、更に前記凸部の頂点を中心とした近傍に平面部が形状されているので、緩衝用部材２の上側に等間隔で帯状の平面部２ａを有し、また緩衝用部材２の下側に等間隔で直線状の角部２ｂを有している。
これにより、緩衝用部材２の平面部２ａの表面上に、シート状基材３の裏面が重ね合わされて、緩衝用部材２の平面部２ａの表面に塗布された接着剤５で接着され一体化されている。
【００１９】
また、この緩衝用部材２の下側に形成されている直線状の角部２ｂの大きさは、種々の寸法サイズとすることができる。
また、角部２ｂの大きさは、緩衝材１を使用して包み込む商品の材質などに応じて選択すればよく、任意に設定することができる。
例えば、緩衝材１で包み込む商品が、ガラス物のように衝撃で壊れてしまうような衝撃に弱い材質である場合には、形状の深さが大きくなるような構造にして、配送時にうっかりぶつけたりした場合でも、包装物が壊れないようにしたり、衝撃に対して強い材質の配送品の場合には、深さを浅くとるように選択することができる。
【００２０】
シート状基材３と緩衝用部材２とは、天然パルプを原料とする紙、又は、自然環境内で分解性を有する合成樹脂フィルムなどで構成されている。
シート状基材３と緩衝用部材２とを同質の材料を用いてもよいし、また異なる材料を用いても良く、異なる材料を用いた場合には、使用後にシート状基材３と緩衝用部材２とを分離させてリサイクル資源として回収し再利用させる。
これにより、商品を受け取った者が、その後に緩衝材１を廃棄した場合でも、緩衝材１から有害物質を発生させたりすることがなく、また緩衝材１を埋めたりして破棄した場合でも、自然環境内で分解するので自然環境に悪影響をもたらすことがないように配慮されている。
【００２１】
更に、図示していないが、緩衝用部材２の裏面側にも、所定部分に情報表示部が設けられ、企業の販売商品やサービスなどの広告情報などを表示させておくことで宣伝効果をもたらすようにしてもよい。
これにより、緩衝材１で商品などを包んで配送した後に、その配送物の受取人が包みを開けた場合にも、その裏側にも情報表示部に表示された広告情報などを見ることができるようにしてある。
【００２２】
また、シート状基材３の幅寸法は、緩衝用部材２の折り部の折り方向における幅寸法よりも両幅側において広く設けられ、これにより、シート状基材の両端部分においてシート状基材３に対して緩衝用部材３が重ね合わされていない部分を有している。
このシート状基材の両端部分において緩衝用部材３が重ね合わされていない部分を設けることで、商品などを包装する際に、シート状基材の緩衝用部材３が重ね合わされていない部分を指で摘んで簡単にひねりまわして留められるように構成されている。
【００２３】
図４には、緩衝材１を構成する緩衝用部材２及びシート状基材３を重ね合わせる前の分離されている状態が示されているが、緩衝用部材２の平面部２ａの表面に塗布された接着剤５を、剥離性を有する接着剤を用いることで、緩衝材１が使用された後に不要となった場合でも、シート状基材３を緩衝用部材２から簡単に分離して、配送品の受取人が、情報が表示されたシート状基材３だけを保存しやすくしたり、更に、シート状基材３と緩衝用部材２との材質が異なる場合でも、分解してリサイクル資源として回収しやすくしてもよい。
【００２４】
次に、本発明の実施形態に係る緩衝材１の使用方法について、図５に基づいて説明する。
図５（ａ）〜（ｂ）には、一例として配送する商品である円筒の物品６を、緩衝材１を使用して包装する際の手順の概要が示されている。
まず、図５（ａ）に示すように、緩衝材１で物品６を包む際には、緩衝用部材２の上に位置する状態となるように物品６を置く。
そして、図５（ｂ）に示すように、物品６を中にして、緩衝材１を丸めて物品６を包み込む。
この際に、図５（ａ）のように、緩衝材１を、緩衝用部材２側が上側に置いた状態として、緩衝用部材２の上に物品６を置いてもよいし、また、物品６を置いてから、その上側から緩衝材１をかぶせて、緩衝用部材２の部分で物品６を包み込んでもよい。
いずれにしても、物品６を緩衝用部材２上に位置する状態となるように包むことで、配送時に配送物が落とされたり、ぶつけたりするなど種々の衝撃を受けた場合でも、包まれた物品６が、緩衝用部材２に形成されている連続した凹凸形状により衝撃を直接的に受けないように保護されることができる。
【００２５】
そして、緩衝材１を丸めて、物品６を緩衝材１で包んだ後に、図５（ｃ）のように、緩衝材１のシート状基材３の両端付近をそれぞれ指で摘んでひねりまわして留める。
この際に、緩衝用部材２が重ね合わされていないシート状基材３の部分を摘んでひねりまわすことで、簡単にシート状基材３だけをひねりまわすことができる。
これにより、外観上キャンディーの包装のような状態で、シート状基材３の両端付近がひねりまわされた状態で留められ包装が完了する。
【００２６】
以上のように、本発明の緩衝材１では、緩衝材１で包まれた物品６は、緩衝用部材２に形成されている連続した凹凸形状により配送時に受ける衝撃から保護され、更に、シート状基材３の両端付近で、それぞれ指で摘んで簡単にひねりまわして留められるので、粘着テープを用いないでも留められるように構成されている。
【図面の簡単な説明】
【００２７】
【図１】本発明の実施形態に係る緩衝材の斜視図である。
【図２】図１のＡ−Ａ線断面図である。
【図３】本発明の実施形態に係る緩衝材の側面図である。
【図４】本発明の実施形態に係る緩衝材を構成する緩衝用部材及びシート状基材を示す図である。
【図５】本発明の実施形態に係る緩衝材の使用方法を示す図である。
【符号の説明】
【００２８】
１  緩衝材
２  緩衝用部材
２ａ  平面部
２ｂ  角部
３  シート状基材
４  情報表示部
５  接着剤
６  物品
【図１】
2008100759.tif 000003
【図２】
2008100759.tif 000004
【図３】
2008100759.tif 000005
【図４】
2008100759.tif 000006
【図５】
2008100759.tif 000007